(57)【特許請求の範囲】
【請求項１】
対向する２枚のシート材の周囲をシールして構成される詰替え用袋であって、
破断されて詰替え用開口を形成する第１破断線（２１、５１）と、
破断されて内部洗浄用開口を形成するとともに、上記シート材上で第１破断線（２１、５１）と重なることなく延在する第２破断線（２２、５２）と、
周囲シール領域（３０、５８）の端縁を除く内方において第１破断線（２１、５１）から第２破断線（２２、５２）まで延在するガイド線（２５、５５）と、を備え、
第２破断線（２２、５２）は、周囲シール領域（３０、５８）内でその外縁から一定距離を置いた位置（２２ａ、５２ａ）から始まり上記シート材内方へと延在しており、
上記ガイド線（２５、５５）は、周囲シール領域（３０、５８）を貫通する切込み線で構成されていることを特徴とする、詰替え用袋。
【請求項２】
上記第２破断線（２２、５２）は、上記位置（２２ａ、５２ａ）から周囲シール領域（３０、５８）内の一定長さ部分が、当該周囲シール領域（３０、５８）を貫通する切込み線（３５、５３）で構成されていることを特徴とする、請求項１記載の詰替え用袋。
【請求項３】
上記ガイド線（２５）と第２破断線（２２）とが易破断領域（４０）を介して連結されていることを特徴とする、請求項１記載の詰替え用袋。
【請求項４】
上記第２破断線（２２、５２）は、周囲シール領域（３０、５８）よりも内方側で終結していることを特徴とする、請求項１記載の詰替え用袋。
【請求項５】
界面活性剤を含有する液体洗剤組成物を請求項１〜４のいずれか１つに記載の詰替え用袋に収納した製品。
【発明の詳細な説明】
【技術分野】
【０００１】
本発明は、液体洗剤等を収容する詰替え用袋に関する。
【背景技術】
【０００２】
例えば、衣類の襟に対する塗布用アプリケータを備えたボトルに入れて使用される液体洗剤の分野において、詰替え用袋に液体洗剤を入れて販売し、これを上記ボトルに詰め替えて使用させるものが従来から知られている。
【０００３】
そのような詰替え用袋においては、内容物である液体洗剤をボトルへ詰め替える際には、ボトルの口部から液体洗剤を容易かつ確実に注入するために、小さな注ぎ口を備えることが好ましい。
【０００４】
一方、ゴミ処理上の問題で、すべての液体洗剤をボトルに注入し終えた後の詰替え用袋は、これを廃棄する前に、内部に残留する僅かな残液を水で洗い流す必要が生じることもある。
その場合、ボトルに詰め替えるための上記小さな注ぎ口から水を注入して残液を洗い流すのでは作業性に劣る。また、界面活性剤が含有された液体洗剤組成物は残液を洗い流すときに、泡が立ちやすく洗いにくい、液体洗剤組成物が手に付着すると手がぬる付く、洗い流した後も手に臭いが残るといった問題点があった。したがって、別の大きな開口を設けて、これを利用して残液を洗い流すことが好ましい。
【０００５】
そのような構成を備えた詰替え用袋（パウチ）の例が特許文献１に開示されている。図１は、特許文献１に開示された詰替え用袋を示している。詰替え用袋１０は、２枚のシート材を重ね、その全周をシールすることで、中空の袋状に構成される。
破断線１１を破り取ることで、小さな注ぎ口が形成され、ここから不図示の別ボトルへと、内容物である液体洗剤等を移し替えることができる。また、袋の廃棄前に残液を洗い流す際には、破断線１２を破り取ることで大きな開口を形成できる。
【０００６】
【特許文献１】特開２００４−４３０００号公報
【発明の開示】
【発明が解決しようとする課題】
【０００７】
しかしながら、図１に示した詰替え用袋１０では、２つの破断線１１および破断線１２は、いずれの順番でも開封できるので、誤って最初に破断線１２を開封してしまうことも起こりうる。
そうなると、ボトルの口部に液体洗剤を流し込む作業が行い難く、洗剤がこぼれてしまうことも起こりうる。
【０００８】
したがって、本発明の目的は、ボトルへの移し替え作業および内部の洗浄作業が容易であって、しかも、内部洗浄用の大きな開口が誤って最初に形成されてしまうこともない詰替え用袋を提供することである。
【課題を解決するための手段】
【０００９】
本発明は、上記課題を有効に解決するために創案されたものであって、以下の特徴を備えた詰替え用袋を提供する。
すなわち、本発明の詰替え用袋は、対向する２枚のシート材の周囲をシールして構成される詰替え用袋であって、「破断されて詰替え用開口を形成する第１破断線」と「破断されて内部洗浄用開口を形成する第２破断線」と「周囲シール領域内で第１破断線から第２破断線まで延在するガイド線」とを備える。
そして、第２破断線は、周囲シール領域内でその外縁から一定距離を置いた位置に始点を有する。
【００１０】
なお、本発明において「破断線」とは、シート材を所望のラインに沿って破断したい場合に、当該ラインに沿って延在する「破断強度の弱い線状の部分」を意味する。例示的に説明すれば次の通りであるが、それらに限定されるものではない。
例えば、シート材が積層構造を有する場合には、そのうちの１層を当該ラインに沿って破断しておくことで「破断線」とすることができる。また、シート材にレーザー光線を照射して、当該シート材を貫通することなく、その厚み幅の一部をカットすることによっても「破断線」とすることができる。さらには、特定の方向（引裂き方向）にのみ容易に引き裂くことのできる「引裂き性」を有するシート材を使用すれば、破断したいラインに当該引裂き方向を沿わせることで「破断線」を構成することができる。
【００１１】
また、本発明において「ガイド線」とは、第１破断線上を進行する破断を、第２破断線に向かって導くための線状の部分である。例示的に説明すれば次の通りであるが、それらに限定されるものではない。
例えば、周囲シール領域を貫通する切込み線や、周囲シール領域に形成したミシン目やハーフカット線等を「ガイド線」とすることができる。
【発明の効果】
【００１２】
上記構成を備えた本発明の詰替え用袋においては、第２破断線の始点は、周囲シール領域内でその外縁から一定距離を置いた位置に存在する。すなわち、始点は、袋の最も外周側のエッジまでは達していない。したがって、第１破断線を破って（これにより、詰替え用開口が形成される）、始点を外周エッジに位置させた後でないと、第２破断線を破り始めることができない。つまり、詰替え用開口を形成するよりも前に、誤って第２破断線が破られて内部洗浄用開口が形成される、という不都合は生じ難い。
【００１３】
また、第１破断線と第２破断線とがガイド線を介して連結されているので、第１破断線と第２破断線との間に適当な距離を置くことができる。そのようにすると、消費者が第２破断線を破ろうとする場合に、既に破り取られた第１破断線の近傍領域に付着した洗剤等の内容物が消費者の手に付着して開封しずらくなる（手を汚してしまう）ことを防止できる。
【発明を実施するための最良の形態】
【００１４】
本発明の実施形態を添付の図面を参照して以下に詳細に説明する。図２は、本発明の第１実施形態に係る詰替え用袋２０を示している。
【００１５】
≪第１破断線２１≫
詰替え用袋２０は、対向する２枚のシート材の周囲をシールして袋状に構成している。図中斜線で示した領域３０が周囲シール領域である。
第１破断線２１は、周囲シール領域３０上の凹部３１から凹部３２まで、袋のコーナ部を横切るように延在していて、これを破り取ることで、詰替え用開口が形成される。第１破断線２１は、対向する２枚のシート材の両方に形成されている。
図３は、第１破断線２１が破り取られた後の状態を示している。このようにして形成した詰替え用開口から、不図示のボトル等に内容物を移し替えることができる。
【００１６】
≪第２破断線２２≫
第２破断線２２は、周囲シール領域３０上の凹部３２から横方向（すなわち、袋の幅方向）に延在している。第２破断線２２は、これを破り取ることで、上記詰替え用開口よりも大きな内部洗浄用開口を形成するためのものである。
すなわち、内容物をすべて別のボトル等に移し替えた後、当該詰替え用袋２０の廃棄前に、第２破断線２２を破り取って大きな開口（内部洗浄用開口）を形成し、当該内部洗浄用開口を利用して、残留物をすべて洗い流す。
第２破断線２２も、対向する２枚のシート材の両方に形成されている。第２破断線２２は、周囲シール領域３０内でその外縁から一定距離を置いた位置に始点２２ａを有する。すなわち、始点２２ａは、袋の最も外周側のエッジまでは達していない。
また、第２破断線２２は、周囲シール領域３０よりも内方側に終点２２ｂを有する。すなわち、終点２２ｂは、周囲シール領域３０まで達してはいない（図２参照）。
【００１７】
≪ガイド線２５≫
本発明の詰替え用袋においては、周囲シール領域３０上に、第１破断線２１から第２破断線２２まで延在するガイド線２５を設けている。図２および図３に示した例では、ガイド線２５は、周囲シール領域３０を貫通する切込み線で構成されている。
また、ガイド線２５は、第２破断線２２の近傍において、袋内方側に向かって尖ったＶ字形状としている。そして、当該Ｖ字形状の頂点の上に、第２破断線２２の始点２２ａが載っている。
この結果、コーナ部分２０ａが分離した後において、第２破断線２２の始点２２ａ付近における周囲シール領域３０の外縁形状は、始点２２ａに向かって凹んだノッチ状となる。これにより、第２破断線２２の開封開始作業が容易となる。
【００１８】
≪作用≫
以上に説明した詰替え用袋２０について、実際に開封する手順およびその場合における各線の作用を以下に説明する。
【００１９】
第１破断線２１を始点２１ａから終点２１ｂへと向けて破断していくと、周囲シール領域３０の凹部３２上で、第１破断線２１とガイド線２５との交点に至る（なお、ガイド線２５の始点２５ａは、第１破断線２１から若干離れていてもよい）。ガイド線２５は、周囲シール領域３０を貫通する切込み線で構成されているので、ここから破断は、ガイド線２５に沿って進み、最終的に、袋のコーナ部分２０ａが袋から分離する（図３）。このことを確実とするために、ガイド線２５の終点２５ｂは、袋の外側に向かって終結していることが好ましい。
【００２０】
第２破断線２２の始点２２ａは、ガイド線２５上に載っている。このため、図３に示したように、コーナ部分２０ａが袋本体から分離して初めて、始点２２ａが袋の外周エッジ上に存在することとなる。
つまり、第１破断線２２を破ることで（これにより、詰替え用開口が形成される）、始点２２ａが袋の外周エッジに位置することとなり、これによって初めて、第２破断線２２を破り始めることができる。したがって、詰替え用開口を形成するよりも前に、誤って第２破断線２２が破られて内部洗浄用開口が形成される、という不都合は生じ難い。
【００２１】
なお図２に示したように、第２破断線２２は、周囲シール領域３０まで達しておらず、周囲シール領域３０よりも内方側に終点２２ｂを有する。このように構成すると、第２破断線２２を破って内部洗浄用開口を形成した場合でも、第２破断線２２よりも上方の部分が袋本体から分離することはなく、廃棄上都合がよい。
【００２２】
≪ガイド線２５の別例≫
図２および図３に示した例では、ガイド線２５が切込み線で構成されているので、第１破断線２１上を進行する破断は、確実に、第１破断線２１からガイド線２５へと載り替わって、ガイド線２５上を進む。
しかし、必ずしもガイド線２５は、切込み線で構成する必要はなく、ミシン目やハーフカット線で構成してもよい。その場合には、第１破断線２１よりもガイド線２５の破断強度を弱く設定しておくことが好ましい。これにより、第１破断線２１に沿って進行する破断が、スムーズにガイド線２５上に載り替わる。
【００２３】
なお、以上のガイド線２５は、レーザー光線を周囲シール領域３０に照射することで形成できる。
【００２４】
≪第２破断線２２の別例≫
図２および図３に示した例では、第２破断線２２の始点は、ガイド線２５上に載っている。しかし、本発明では、第１破断線２１を破った後で初めて、第２破断線２２の始点２２ａが袋の外周エッジに位置することとなれば足りる。したがって、第２破断線２２の始点２２ａは、ガイド線２５から離れた位置に存在していてもよい。
換言すると、第１破断線２１を破る前において、始点２２ａが袋の最も外周側のエッジまで達していなければよい。つまり、始点２２ａが周囲シール領域３０内でその外縁から一定距離を置いた位置に存在すれば足りる。
【００２５】
≪第２破断線を、始点近傍において切込み線とする構成（図４）≫
図４は、詰替え用袋の別例を示す要部拡大図であって、図２中の周囲シール領域３０の凹部３２近傍箇所を拡大して示している。
図４の例では、第２破断線２２は、その始点２２ａの近傍領域において、周囲シール領域３０を貫通する切込み線３５として構成している。これにより、第２破断線２２の開封開始作業が容易となる。
当然のことながら、この切込み線３５は、周囲シール領域３０内においてのみ延在するものとする。
【００２６】
≪ガイド線と第２破断線とを、易破断領域を介して連結する構成（図５）≫
図５は、詰替え用袋のさらに別例を示す要部拡大図であって、図２中の周囲シール領域３０の凹部３２近傍箇所を拡大して示している。
図５の例では、ガイド線２５と第２破断線２２とが易破断領域４０を介して連結されている。易破断領域４０は、例えば周囲シール領域３０内の一定領域に対してレーザを照射して、当該領域の強度を低下させたものである。
ガイド線２５と第２破断線２２との位置がズレた場合等に、このような易破断領域４０をもって両者を連結することで当該位置ズレを吸収できる。
【００２７】
≪層構造の説明≫
詰替え用袋を構成するシート材は、積層構造を有するものを採用するのが好ましい。その場合、積層構造が特定のものに限定されることはないが、幾つかを例示的に説明する。
袋の外表面側から内部側に向かって順に、
（１）「基材層／印刷層／接着層／熱接着性樹脂層」の積層構造。
（２）「基材層／印刷層／接着層／基材層／熱接着性樹脂層」の積層構造。
なお、第１破断線２１、第２破断線２２、およびガイド線２５を設ける位置では、上記積層構造中の印刷層を省略することが好ましい。印刷層を省略した部分は、シート材の破断強度が弱くなるので、消費者がこれを容易に破断できる。
【００２８】
ここで、基材層としてはＯＮフィルム（２軸延伸ナイロン）やＰＥＴフィルム（２軸延伸ポリエチレンテレフタレート）、その他適宜のものを使用できる。
熱接着性樹脂層としては、ＬＬＤＰＥ（線状低密度ポリエチレン）、その他適宜のものを使用できる。
また、接着層としてウレタン系接着剤を用いて、ドライラミネーション（ＤＬ）法により積層することが好ましい。
【００２９】
なお、第１破断線２１および第２破断線２２は、シート材中に設けた「破断強度の弱い線状の部分」であればよいので、シート材が上記の積層構造を有する場合、そのうちの１層（例えば、下線を付した層）を破断しておくことで「破断線」とすることができる。
なお、シート材にレーザー光線を照射して、当該シート材を貫通することなく、その厚み幅の一部をカットして、第１破断線２１および第２破断線２２を構成してもよい。
さらには、特定の方向（引裂き方向）にのみ容易に引き裂くことのできる「引裂き性」を有するシート材を使用すれば、破断したいラインに当該引裂き方向を沿わせることで「破断線」を構成することができる。一般に、一軸延伸フィルムはその延伸方向に「引裂き性」を有するので、これを利用して「破断線」とすることも可能である。
【００３０】
≪詰替え用袋の別例≫
図６は、本発明の詰替え用袋の別例を示している。この詰替え用袋５０を構成するシート材は、袋の外表面側から内部側に向かって順に「基材層／印刷層／接着層／熱接着性樹脂層」の積層構造を有する。かかるシート材を２枚対向して重ね合わせ、その周囲がシールされる。
基材層としてＯＮフィルム（２軸延伸ナイロン）を、熱接着性樹脂層としてＬＬＤＰＥフィルム（線状低密度ポリエチレン）を、それぞれ使用している。また、接着層としてウレタン系接着剤を用いて、裏面に印刷層を備えたＯＮフィルムとＬＬＤＰＥフィルムとをドライラミネーション（ＤＬ）法により積層している。
【００３１】
なお、図６においては、詰替え用袋５０の上辺５０ａは未だシールされていない。詰替え用袋の製造段階においては、このシールされていない上辺部分から液体洗剤等の内容物を入れる。最終的には当該上辺部分もシールして、最終製品として出荷する。
【００３２】
図６において参照数字５６はシート材上に設けた隆起部を示している。隆起部５６は、対向する２枚のシートの両方に形成されていて、それぞれ、袋の外側に向かって隆起している。この隆起部５６は、第１破断線５１を破り取った際に、注ぎ口を構成する。勿論、このような隆起部５６が存在しなくとも、第１破断線５１を破り取ることで注ぎ口は形成される。
【００３３】
また、図６において参照数字５９は底材を示している。すなわち、２つ折りにした底材５９を２つのシート材に挟み込んだ上で袋の周囲がシールされている。これにより、詰替え用袋５０は、自立性のあるスタンドパックとして構成されている。
【００３４】
図６の詰め替え用袋５０においては、詰め替え用開口を形成するための第１破断線５１を平行して５本形成しており、周縁シール領域５８の端縁であって５本の第１破断線領域内に貫通するI字状切れ目が形成されており、５本の第１破断線はI字状切れ目との位置ズレを緩和している。また、内部洗浄用開口を形成するための第２破断線５２は、袋の上辺５０aと平行に横方向に延在している。勿論、他の構成を採用することも可能である。第１破断線５１及び第２破断線５２は、いずれも、基材層及び印刷層の部分をレーザー光線でカットし、その破断強度を弱めることで形成されている。
【００３５】
第２破断線５２の始点５２ａ付近の部分は、周囲シール領域５８を貫通する切込み線５３として形成し、開封開始作業を容易にしている。切込み線５３は、周囲シール領域５８内においてのみ延在している。
また、第２破断線５２の終点５２ｂは周囲シール領域５８よりも内方側に位置しているので、第２破断線５２を破って内部洗浄用開口を形成した場合でも、第２破断線５２よりも上方の部分が袋本体から分離することはなく、廃棄上都合がよい。
【００３６】
ガイド線５５は、周囲シール領域５８を貫通する切込み線として形成している。したがって、第１破断線５１に沿って進行する破断が確実にガイド線５５上へと移り替わる。ガイド線５５は、打抜き刃により周縁シール部外縁部を裁断する際に袋を貫通して形成され、上記切込み５３は、レーザー光線を周囲シール領域５８に照射して貫通させることで形成している。
【００３７】
なお、図示はしていないが、第１破断線５１および第２破断線５２に沿って、破断方向を示す矢印や、破断順序を示す数字等を表示して、消費者の便宜を図ることもできる。矢印および数字等の表示は、上記印刷層に設ける。
【００３８】
以上に説明した詰替え用袋は、例えば、界面活性剤を含有する液体洗剤組成物を収納した製品として販売される。
界面活性剤を含有する液体洗剤組成物としては、例えば、洗濯用洗剤、台所用洗剤、洗浄剤、漂白剤、柔軟剤、シャンプー、リンス、ハンドソープ、洗顔剤、ワックスなどが挙げられる。
界面活性剤としては、アニオン性界面活性剤、カチオン性界面活性剤、ノニオン性界面活性剤、両性界面活性剤などが挙げられる。
本発明で用いるアニオン性界面活性剤としては、脂肪酸塩、アルファスルフォ脂肪酸エステル塩、直鎖アルキルベンゼンスルホン酸塩、アルキル硫酸エステル塩、アルキルエーテル硫酸エステル塩、アルファスルホン酸塩等が挙げられる。
これらのアニオン性界面活性剤の対イオンとしてはナトリウム、カリウム等のアルカリ金属又はモノエタノールアミン塩、ジエタノールアミン塩、トリエタノールアミン塩等のアルカノールアミン塩が好ましい。また、上記アルキル基は不飽和結合を含んでいてもよい。
本発明で用いるノニオン性界面活性剤としては、ポリオキシエチレンアルキルエーテル、ポリオキシエチレンアルキルフェニルエーテル、脂肪酸アルカノールアミド、しょ糖脂肪酸エステル、ソルビタン脂肪酸エステル、ポリオキシエチレンソルビタン脂肪酸エステル等が挙げられる。
本発明で用いる両性界面活性剤としては、アルキルベタイン、アルキルアミンオキシド、アルキルアミノ脂肪酸塩等が挙げられる。
本発明で用いるカチオン性界面活性剤の具体的例を次に示す。
【化１】
0005114005.tif 000002
ここで上記（１）式中のR1、R2はそれぞれ炭素数１１〜２３、好ましくは１５〜２１のアルキル基又はアルケニル基であり、例えばR1-CO、R2-COで示される基が通常オレイン酸、エライジン酸、リノール酸、リノレン酸等の不飽和高級脂肪酸、ステアリン酸、パルミチン酸等の飽和高級脂肪酸、牛脂、豚脂、パーム油、大豆油、サフラワー油、ヒマワリ油、オリーブ油などの天然油脂を分解・精製して得られる脂肪酸、これらの硬化脂肪酸から由来するものであるが、これらの中でも特にオレイン酸、ステアリン酸、牛脂脂肪酸、硬化牛脂脂肪酸、パーム油脂肪酸、硬化パーム油脂肪酸が好適である。
また、R3、R4はそれぞれ炭素数１〜４のアルキル基又はヒドロキシアルキル基であり、具体的にはメチル基、エチル基、プロピル基、ブチル基、ヒドロキシメチル基、ヒドロキシプロピル基、ヒドロキシブチル基が挙げられる。
更にX−は陰イオンであり、具体的には塩素、臭素、ヨウ素等のハロゲン原子アニオン、R7SO4（R7は炭素数１〜３のアルキル基であり、具体的にはメチル基、エチル基、プロピル基が挙げられるが）で示される基のアニオンなどが例示される。
【００３９】
界面活性剤を含有する液体洗剤組成物の組成物例を次に示す。
≪組成物例１≫
アルキル基の炭素数１０〜１３の直鎖アルキルベンゼンスルホン酸ナトリウム：３０重量％
アルキル基の炭素数１０〜１３の直鎖アルキルベンゼンスルホン酸ジエタノールアミン塩：２重量％
ジエタノールアミン：１５重量％
酵素：１重量％
香料：０．２重量％
精製水：バランス
≪組成物例２≫
ジメチルジステアロイルオキシエチルアンモニウムクロライド：１３重量％
ポリオキシエチレン（P=70）牛脂アルキルアミン：３重量％
エチレングリコール：８重量％
香料：０．６重量％
食塩：０．１重量％
精製水：バランス
【図面の簡単な説明】
【００４０】
【図１】従来の詰替え用袋を示す図。
【図２】本発明の詰替え用袋の一例を示す図。
【図３】図１の詰替え用袋において、第１破断線を破って詰替え用開口を形成した状態を示す図。
【図４】詰替え用袋の別例を示す要部拡大図。
【図５】詰替え用袋のさらに別例を示す要部拡大図。
【図６】本発明の詰替え用袋の別例を示す図。
【符号の説明】
【００４１】
１０  詰替え用袋
１１、１２  破断線
２０  詰替え用袋
２０ａ  詰替え用袋のコーナ部分
２１  第１破断線
２１ａ  第１破断線の始点
２１ｂ  第１破断線の終点
２２  第２破断線
２２ａ  第２破断線の始点
２２ｂ  第２破断線の終点
２５  ガイド線
２５ａ  ガイド線の始点
２５ｂ  ガイド線の終点
３０  周囲シール領域
３１、３２  凹部
３５  切込み線
４０  易破断領域
５０  詰替え用袋
５０ａ  詰替え用袋の上辺
５１  第１破断線
５２  第２破断線
５２ａ  第２破断線の始点
５２ｂ  第２破断線の終点
５３  切込み線
５５  ガイド線
５６  隆起部
５８  周囲シール領域
５９  底材
【図１】
0005114005.tif 000003
【図２】
0005114005.tif 000004
【図３】
0005114005.tif 000005
【図４】
0005114005.tif 000006
【図５】
0005114005.tif 000007
【図６】
0005114005.tif 000008